(57)【要約】      （修正有）【課題】インキローラの芯材であるピンによって印版が損傷するのを防止できる携帯式ラベル貼付け機を提供する。【解決手段】携帯式台紙無しラベル貼付け機は、退避部材６２によって、インキローラが取り外されたピン６６を印版６４から退避させる。すなわち、退避部材６２を操作レバー５に一体化させ、操作レバー５の操作開始位置において退避部材６２をローラアーム６０に押圧当接させることにより、ローラアーム６０をコイルスプリング７０の付勢力に抗して揺動させて、ピン６６を印版６４から退避させる。よって、携帯式台紙無しラベル貼付け機によれば、台紙無しラベル３の繰り出しテスト時等において、印版６４がピン６６によって損傷するのを防止できる。【選択図】図１１
2013075706.tif 000002
【特許請求の範囲】
【請求項１】
貼付け機本体と、
前記貼付け機本体に回動自在に取り付けられた操作レバーと、
前記操作レバーの回動操作によって動作する印字器と、
前記操作レバーの回動操作によって前記印字器の印版にインキを塗布するインキローラと、
前記インキローラを、ピンを介して回動自在に支持するとともに前記貼付け機本体に揺動自在に取り付けられたローラアームと、
前記ローラアームを付勢して前記インキローラを前記印版に押し付ける付勢部材と、を有する携帯式ラベル貼付け機において、
前記インキローラが取り外された前記ピンを、前記付勢部材の付勢力に抗して前記印版から退避させる退避部材を備えたことを特徴とする携帯式ラベル貼付け機。
【請求項２】
前記退避部材は、前記操作レバーに備えられるとともに該操作レバーの操作開始位置において前記ローラアームに押圧当接され、該ローラアームを前記付勢部材の付勢力に抗して揺動させることにより、前記ピンを前記印版から退避させる請求項１に記載の携帯式ラベル貼付け機。
【請求項３】
前記印版に対する前記ピンの退避量は、該ピンに前記インキローラが装着された際に、該インキローラを前記印版に前記付勢部材の付勢力によって押し付けることが可能な量に設定されている請求項１、又は２に記載の携帯式ラベル貼付け機。
【発明の詳細な説明】
【技術分野】
【０００１】
本発明は携帯式ラベル貼付け機に係り、特に携帯式ラベル貼付け機の印字装置に改良を施した携帯式ラベル貼付け機に関する。
【背景技術】
【０００２】
従来から、特許文献１等に開示された携帯式ラベル貼付け機を用いて、各種商品やその他の被貼付け体にラベルを貼り付け、商品の価格やその他必要な情報を表示することが行われている。
【０００３】
前記携帯式ラベル貼付け機の使用にあたっては、帯状のラベルをロール状に巻回した状態で、携帯式ラベル貼付け機に備えられたラベルホルダーなどのラベル保持部に装填して保持するとともに、このラベルホルダーからラベルを帯状に繰り出して、携帯式ラベル貼付け機内に挿通し、移送ないし印字可能な状態に装填している。
【０００４】
携帯式ラベル貼付け機に装填するラベルとしては、帯状のラベル基材と、このラベル基材の裏面に設けた粘着剤層と、ラベル基材の表面に設けた剥離剤層と、を有する一方、台紙を持たない台紙無しラベル（いわゆるノンセパ（登録商標）型のラベル）がある。台紙無しラベルは、台紙を持たないことから省資源にも寄与している。特許文献２には、台紙無しラベルを使用する携帯式ラベル貼付け機が開示されている。
【０００５】
特許文献１、２等に開示された携帯式ラベル貼付け機は、特許文献３等に開示された印字装置を備えている。この印字装置は、携帯式ラベル貼付け機の操作レバーの先端に取り付けられた印字器と、この印字器のゴム製の印版にインキを塗布するインキローラとを有している。インキローラは、ローラアームの先端に回動自在に設けられ、ローラアームは、携帯式ラベル貼付け機本体を構成する側板に揺動自在に取り付けられている。また、ローラアームは、コイルスプリング等の付勢部材によって、印字器に向けて付勢されており、この付勢力によってインキローラが印版に押圧当接されている。
【０００６】
上記の如く構成された印字装置によれば、操作レバーを操作すると、印字器がラベルに向けて移動され、印字器の印版がラベルに押し付けられてラベルに文字等の情報が印字される。また、印字器の前記移動動作に連動して、ローラアームが印字器の移動エリアから前記付勢部材の付勢力に抗して退避する。この退避動作中にインキローラが印版上を転動し、インキローラから印版にインキが塗布される。
ところで、このような携帯式ラベル貼付け機では、ローラアームからインキローラを取り外して、ラベルの繰り出しテストを実施したい場合がある。
【０００７】
図１２の如く、インキローラ１１２は、ローラアーム１００の先端部に回動自在に取り付けられており、ローラアーム１００の基端部に取り付けられているコイルスプリング１０４の付勢力によって印版１０８に当接されている。
図１３の如く、ローラアーム１００からインキローラ（不図示）を取り外すと、インキローラの回転軸である金属製のピン１０２が露出し、このピン１０２がコイルスプリング１０４の付勢力によって、印字器１０６の印版１０８に押圧当接される。この状態で、操作レバー１１０を操作してラベル（不図示）の繰り出しテストを実施すると、ピン１０２が印版１０８上を擦るように移動するので、ゴム製の印版１０８が損傷するという虞があった。
【先行技術文献】
【特許文献】
【０００８】
【特許文献１】特開２００９−２７４２８２号公報
【特許文献２】特開平８−１３３２５９号公報
【特許文献３】特開２０１１−１７３２８４号公報
【発明の概要】
【発明が解決しようとする課題】
【０００９】
本発明は、このような事情に鑑みてなされたもので、インキローラの回転軸であるピンによって印版が損傷するのを防止できる携帯式ラベル貼付け機を提供することを目的とする。
【課題を解決するための手段】
【００１０】
本発明は、前記目的を達成するために、貼付け機本体と、前記貼付け機本体に回動自在に取り付けられた操作レバーと、前記操作レバーの回動操作によって動作する印字器と、前記操作レバーの回動操作によって前記印字器の印版にインキを塗布するインキローラと、前記インキローラを、ピンを介して回動自在に支持するとともに前記貼付け機本体に揺動自在に取り付けられたローラアームと、前記ローラアームを付勢して前記インキローラを前記印版に押し付ける付勢部材と、を有する携帯式ラベル貼付け機において、前記インキローラが取り外された前記ピンを、前記付勢部材の付勢力に抗して前記印版から退避させる退避部材を備えたことを特徴とする携帯式ラベル貼付け機を提供する。
【００１１】
本発明によれば、インキローラが取り外されたピンを、退避部材によって印版から退避させたので、ラベルの繰り出しテスト時等において、印版がピンによって損傷するのを防止できる。
【００１２】
本発明の前記退避部材は、前記操作レバーに備えられるとともに該操作レバーの操作開始位置において前記ローラアームに押圧当接され、該ローラアームを前記付勢部材の付勢力に抗して揺動させることにより、前記ピンを前記印版から退避させることが好ましい。
【００１３】
本発明によれば、退避部材を操作レバーに一体化させて、操作レバーの操作開始位置において退避部材をローラアームに押圧当接させることにより、ローラアームを付勢部材の付勢力に抗して揺動させて、ピンを印版から退避させる。これにより、簡単な構成でピンを印版から退避させることできる。
【００１４】
本発明の前記印版に対する前記ピンの退避量は、該ピンに前記インキローラが装着された際に、該インキローラを前記印版に前記付勢部材の付勢力によって押し付けることが可能な量に設定されていることが好ましい。
【００１５】
本発明によれば、印版から退避しているピンにインキローラが装着されると、インキローラは付勢部材の付勢力によって印版に押し付けられるので、携帯式ラベル貼付け機の通常動作（ラベル貼着動作）を問題無く行うことができる。
【発明の効果】
【００１６】
本発明によれば、インキローラの回転軸であるピンによって印版が損傷するのを防止できる携帯式ラベル貼付け機を提供できる。
【図面の簡単な説明】
【００１７】
【図１】本発明の携帯式ラベル貼付け機の側面図
【図２】同、ラベルホルダー及びプラテンユニットを開放した状態の側面図
【図３】同、一方の側板を取り除いた状態の概略側面図
【図４】同、プラテンユニット及び台紙無しラベル分離装置の分解斜視図
【図５】同、プラテンユニットにおける台紙無しラベル分離装置、移送ローラ及び押付けエレメントの斜視図
【図６】同、台紙無しラベルを装填した状態のプラテンユニットにおける台紙無しラベル分離装置、移送ローラ及び押付けエレメントの斜視図
【図７】同、プラテンユニットにおける台紙無しラベル分離装置を開放した状態の斜視図
【図８】同、プラテンユニットにおける台紙無しラベル分離装置を開放した状態の縦断面図
【図９】同、台紙無しラベルを装填した状態のプラテンユニットにおける台紙無しラベル分離装置、移送ローラ、押付けエレメント及び移送用無端ベルトの、分離爪片部分における縦断面図
【図１０】同、台紙無しラベルを装填した状態のプラテンユニットにおける台紙無しラベル分離装置、移送ローラ、押付けエレメント及び移送用無端ベルトの、逆転防止片部分における縦断面図
【図１１】本発明の印字器、ローラアーム、及びインキローラの回転軸の位置関係を示した側面図
【図１２】従来の印字器、ローラアーム、及びインキローラの位置関係を示した側面図
【図１３】従来の印字器、ローラアーム、及びインキローラの回転軸の位置関係を示した側面図
【発明を実施するための形態】
【００１８】
本発明は、インキローラが取り外されたピンを退避部材によって印版から退避させることにより、ラベルの繰り出しテスト時等において、印版がピンによって損傷するのを防止できる携帯式ラベル貼付け機を実現した。
【実施例】
【００１９】
次に、本発明を携帯式台紙無しラベル貼付け機１に適用した場合の実施例について図１ないし図１１に基づいて説明する。なお、台紙を備えたラベルを使用する携帯式ラベル貼付け機にも本発明を適用できる。
【００２０】
図１は、携帯式台紙無しラベル貼付け機１の側面図、図２は、同、ラベルホルダー４、及びプラテンユニット６を開放した状態の側面図、図３は、同、一方の側板２を取り除いた状態の概略側面図、図４は、プラテンユニット６及び台紙無しラベル分離装置９の分解斜視図である。
【００２１】
携帯式台紙無しラベル貼付け機１は、貼付け機本体を構成する左右（紙面表裏）一対の側板２、台紙無しラベル３のラベルホルダー４、操作レバー５、プラテンユニット６、印字器７、貼付けローラ８、台紙無しラベル分離装置９、インキローラ４８、及びローラアーム６０（図１１）を有する。
【００２２】
図１の如く、左右一対の側板２には、操作者が握持するグリップ１０が一体的に備えられる。また、このグリップ１０の近傍には、操作レバー５が配置され、この操作レバー５は、図３のレバー軸１１の周り回動自在に取り付けられることにより、グリップ１０に対して近づく方向、及び離れる方向に動作される。
【００２３】
操作レバー５は、コイルスプリング１２などの付勢部材を介してグリップ１０に接続され、コイルスプリング１２の付勢力によって、グリップ１０に対して離れる方向に付勢されている。
【００２４】
操作者は、グリップ１０及び操作レバー５を片手で握持し、コイルスプリング１２の付勢力に抗して操作レバー５をグリップ１０に向けて回動操作する。これにより、携帯式台紙無しラベル貼付け機１内のプラテンユニット６、及び図１の印字器７が駆動される。そして、操作レバー５の握持操作を解放することによって、携帯式台紙無しラベル貼付け機１の貼付けローラ８による図３の台紙無しラベル３の貼付け操作が行われる。
【００２５】
帯状の台紙無しラベル３は、ロール状に巻回されてラベルホルダー４に保持されるとともに、操作レバー５の回動操作に連動するプラテンユニット６によって印字器７の方向に繰り出される。そして、台紙無しラベル３は、プラテンユニット６の先端部でプラテンユニット６から分離され、貼付けローラ８によって被貼付け体（図示せず）に貼り付けられる。台紙無しラベル３には、台紙無しラベル３の長手方向に直交する方向に所定ピッチで移送用スリット３Ａが形成されている。この移送用スリット３Ａは、プラテンユニット６を移送される際に、切断分離ユニット（図示せず）によって切断される。この切断動作によって、帯状の台紙無しラベル３から単葉のラベル片３Ｂが分離され、ラベル片３Ｂが前記被貼付け体に貼り付けられる。
【００２６】
ラベルホルダー４は、側板２の上面に設けられたホルダー軸１３の周りに側板２に対して開閉回動可能とした断面半円弧状のホルダーカバー１４、ホルダーカバー１４の内部に設けられたラベル保持軸１５、及び側板２への固定用フック１６を有し、ラベル保持軸１５にロール状の台紙無しラベル３が装填される。
【００２７】
プラテンユニット６は、ラベルホルダー４から帯状に繰り出された台紙無しラベル３を移送するものであり、プラテンフレーム１７、移送ローラ１８、及び押付けエレメント１９を有している。また、移送ローラ１８から移送されてきた台紙無しラベル３は、台紙無しラベル分離装置９によって移送ローラ１８から分離される。
【００２８】
プラテンフレーム１７は、側板２に設けたプラテン開閉軸２０の周りに回動可能に配置される。そして、プラテンユニット６は、台紙無しラベル３が移送不良、いわゆるジャムリを起こしたときや保守点検などのときに側板２に対しその全体が開閉されるようになっている。
【００２９】
プラテンフレーム１７は、駆動ギア２１及び従動コロ２２と、これら駆動ギア２１及び従動コロ２２の周りに掛け回した移送用無端ベルト２３とを備えており、駆動ギア２１が移送ローラ１８のローラギア２４に係合される。
【００３０】
移送用無端ベルト２３は、移送ローラ１８によって移送されてくる台紙無しラベル３をさらに移送可能であって、その表面は、台紙無しラベル３の裏面（糊面）が接触されるため、非粘着性の物性を有するシリコーン、或いはフッ素系のゴム材から構成されるか、又は剥離剤などが塗布されている。また、このプラテンユニット１７に組み込まれた移送用無端ベルト２３は、印字器７による台紙無しラベル３への押印動作の受け台ともなるもので、その内側には印字器７に対向して受圧用プレート２３Ａ（図８）が配置されている。
【００３１】
なお、プラテンフレーム１７の先端側の左右には、図３の如く一対の係脱軸２５が突出されている。この係脱軸２５は、側板２に設けられた開閉用つまみ２６に連動してつまみ軸２７の周りに回動する開閉用係脱片２８の係脱用凹部２８Ａに係脱される。ただし、つまみ軸２７には任意のバネ材（図示せず）が設けられており、このバネ材によって開閉用係脱片２８が係脱軸２５に係合する方向に付勢されている。
すなわち、開閉用つまみ２６は、係脱軸２５に係脱する開閉用係脱片２８を操作して、プラテンユニット６と開閉用係脱片２８とを互いに係脱可能としている。
移送ローラ１８は、プラテンフレーム１７に設けられたローラ軸２９の周りに移送方向に所定ピッチで回転可能に配置されている。
【００３２】
操作レバー５のレバー軸１１の下方部に延びる連結アーム３０の連結軸３１に、移送回動用爪３２が往復動可能に取り付けられており、この移送回動用爪３２が移送ローラ１８におけるローラギア２４の側面に放射状に設けられた複数個の移送用突起３３にそれぞれに係脱される。
【００３３】
なお、連結軸３１には、連結ガイドプレート３４が取り付けられており、連結ガイドプレート３４の左右先端部の連結突起３５が、プラテンフレーム１７の底部におけるガイド溝３６内に往復摺動可能に嵌め込まれ、操作レバー５の握持及びその解放に伴う連結軸３１及び移送回動用爪３２の往復作動を保証している。
【００３４】
かくして、操作レバー５をグリップ１０とともに握持及び解放することにより、連結アーム３０、移送回動用爪３２及びローラギア２４などを介してローラ軸２９の周りに移送ローラ１８を所定ピッチだけ回転して台紙無しラベル３を移送可能とするとともに、移送ローラ１８のローラギア２４と駆動ギア２１との連結係合により移送用無端ベルト２３を回転させて台紙無しラベル３をその上面に移送する。
【００３５】
さらに移送ローラ１８は、その中央円周溝３７の左右に所定ピッチで左右一対の移送用爪３８が突出され、移送用爪３８の外周側に左右一対の外周円周溝３９が備えられている。この移送用爪３８は台紙無しラベル３の移送用スリット３Ａに係脱される。移送用爪３８が、移送用スリット３Ａに係合して移送ローラ１８が所定量回動することにより、台紙無しラベルがラベル片３Ｂ毎に間欠移送される。
【００３６】
また、操作レバー５は図３の如く、その先端側に二股状のヨーク部５Ａを有し、このヨーク部５Ａに図１の印字器７が取り付けられている。また、ヨーク部５Ａの先端部には、図１１に示すローラアーム６０に当接される退避部材６２が一体的に備えられている。なお、ローラアーム６０及び退避部材６２については後述する。
【００３７】
図５は、プラテンユニット６における台紙無しラベル分離装置９、移送ローラ１８及び押付けエレメント１９の斜視図、図６は、台紙無しラベル３を装填した状態のプラテンユニット６における台紙無しラベル分離装置９、移送ローラ１８及び押付けエレメント１９の斜視図、図７は、プラテンユニット６における台紙無しラベル分離装置９を開放した状態の斜視図、図８は、プラテンユニット６における台紙無しラベル分離装置９を開放した状態の縦断面図である。
【００３８】
押付けエレメント１９は、移送ローラ１８に台紙無しラベル３を押し付けるためのものであり、エレメントフレーム４０と、上下左右二対のバックアップローラ４１と、バックアップローラ４１の間で中央に位置するバックアップリング４２と、ねじりコイルバネ４３及び左右一対の板バネ４４と、を有する。
【００３９】
ねじりコイルバネ４３及び左右一対の板バネ４４は、プラテンユニット６が開閉用係脱片２８から離脱したときに、移送ローラ１８と押付けエレメント１９とを互いに離反させる付勢部材として機能し、押付けエレメント１９から移送ローラ１８を離反させ、その間に台紙無しラベル３を挿通可能とする間隙４５（図３）を形成可能とする。
【００４０】
ただし、プラテンフレーム１７は、係脱軸２５と開閉用係脱片２８との係合により、ねじりコイルバネ４３及び板バネ４４の付勢力に抗して側板２に取り付けられる。
【００４１】
なお、エレメントフレーム４０は、プラテンフレーム１７の外壁面に設けたエレメント軸４６の周りにプラテンフレーム１７に対して回動可能に連結されており、プラテンユニット６において押付けエレメント１９に対してプラテンフレーム１７を相対的に開閉可能としている。また、エレメントフレーム４０は、バックアップローラ４１及びバックアップリング４２を取り付ける上下一対の回転軸４７を有する。
【００４２】
バックアップローラ４１及びバックアップリング４２は、台紙無しラベル３の裏面（糊面）が接触移送されるため、非粘着性の物性を有するシリコーン、或いはフッ素系のゴム材から構成されるか、剥離剤などが塗布されているもので、台紙無しラベル３を移送ローラ１８側に押し付け可能である。
【００４３】
また、バックアップローラ４１及びバックアップリング４２は、台紙無しラベル３の糊面に線接触するため、糊面との粘着力を極力小さくすることができるとともに、所定のバネ弾性を持った押付けが可能である。
【００４４】
バックアップローラ４１は、移送ローラ１８の移送用爪３８の外周部の外周円周溝３９に接触回転するとともに、バックアップリング４２が、移送ローラ１８の移送用爪３８の内周部の中央円周溝３７に接触回転することにより、移送ローラ１８と押付けエレメント１９との間に台紙無しラベル３を挟持しつつ、また、移送用爪３８が台紙無しラベル３の表面側からその移送用スリット３Ａに係合し移送ローラ１８の回転によって台紙無しラベル３を移送用無端ベルト２３上に送り出す。
【００４５】
ねじりコイルバネ４３は、移送ローラ１８と押付けエレメント１９との間において、間隙４５から側方にずれた位置に設けられたバネ取付け軸（図示せず）に取り付けられており、プラテンフレーム１７（プラテンユニット６）全体を押付けエレメント１９に対して常時開放方向（図３）に付勢する。
【００４６】
板バネ４４は、移送ローラ１８とは反対側のエレメントフレーム４０の背面に取り付けられており、操作レバー５のレバー軸１１部分に当接して、ねじりコイルバネ４３と協動して、プラテンフレーム１７（プラテンユニット６）全体を押付けエレメント１９に対して常時開放方向（図３）に付勢する。
【００４７】
印字器７は、操作レバー５における二股状のヨーク部５Ａの先端部側に取り付けられている。印字器７は、操作レバー５の回動操作によってプラテンユニット６に向けて移動され、その移動中に印字器７の印版６４（図１１）にインキローラ４８（図１）からインキが塗布される。そして、プラテンユニット６の移送用無端ベルト２３の上面に移送されてきた台紙無しラベル３（ラベル片３Ｂ）に、印版６４が押し付けられることによって、ラベル片３Ｂに所定の情報が印字される。
【００４８】
図１１には、操作レバー５の操作開始位置において、インキローラ４８（図１）を回転軸である金属製のピン６６から取り外した図が示されている。ピン６６は、ローラアーム６０の一端に回動自在に取り付けられており、ローラアーム６０の他端は軸６８の周りに揺動自在に取り付けられている。また、軸６９にはコイルスプリング（付勢部材）７０が装着され、コイルスプリング７０の付勢力によってローラアーム６０は、図１１において反時計周り方向に回動付勢されている。この付勢力によって、インキローラ４８（図１）が印版６４に押し付けられ、印版６４にインキが塗布される。なお、図１１では、ローラアーム６０が退避部材６２に押されて、時計周り方向に所定量回動されていることから、ピン６６が印版６４から退避した位置に配置されている。
【００４９】
図２の如く貼付けローラ８は、側板２の先端下方部に位置し、プラテンユニット６における移送用無端ベルト２３の先端部分で移送用無端ベルト２３から剥離されたラベル片３Ｂを、携帯式台紙無しラベル貼付け機１全体の貼付け操作に伴って、貼付けローラ８によるラベル片３Ｂを被貼付け体に貼り付ける。
【００５０】
すなわち、貼付けローラ８は、側板２の端部（図１中、左端下方端部）に位置するとともに、その円周部の一部が側板２の外部に露出しており、側板２の外部に排出するようにプラテンユニット６及びその移送用無端ベルト２３を通って側板２の外部に移送されてきたラベル片３Ｂを、貼付けローラ８を被貼付け体に打ち付けるようにして回転させることにより、被貼付け体に貼り付け可能とする。
図４に示すように、台紙無しラベル分離装置９は、プラテンユニット６のプラテンフレーム１７に回動可能に設けた分離爪エレメント４９を有する。
【００５１】
分離爪エレメント４９は、移送ローラ１８と移送用無端ベルト２３との間に配置されるとともに、押付けエレメント１９によって移送ローラ１８に押し付けられていた台紙無しラベル３を移送ローラ１８から確実に分離可能とし、移送ローラ１８と移送用無端ベルト２３との間において台紙無しラベル３を移送ローラ１８から移送用無端ベルト２３に移行させる。
【００５２】
具体的に、分離爪エレメント４９は、左右一対の回動アーム５０及びその間の横断アーム５１を有する爪エレメント本体５２と、横断アーム５１から移送ローラ１８に向かって突出形成した左右一対の分離爪片５３と、分離爪片５３に対してほぼ直角方向に分離爪片５３の間に形成した逆転防止片５４と、回動アーム５０の基部に弾性的に形成した爪エレメント係合片５５と、を有する。
分離爪エレメント４９は、プラテンユニット６のプラテンフレーム１７においてこれをその周りに回動可能な回動突起５６を回動アーム５０の先端部に有する。
【００５３】
すなわち、プラテンフレーム１７におけるローラ軸２９近傍には、回動用凹部５７が形成され、この回動用凹部５７に回動突起５６が係合し、この回動突起５６の周りにおいて、分離爪エレメント４９が、移送ローラ１８から台紙無しラベル３を分離可能な第１の姿勢（図５及び図６を参照）と、移送ローラ１８から離脱し、移送ローラ１８の周りにおける台紙無しラベル３の状態を確認可能な第２の姿勢（図７及び図８を参照）との間に、回動可能である。
【００５４】
図９は、台紙無しラベル３を装填した状態のプラテンユニット６における台紙無しラベル分離装置９、移送ローラ１８、押付けエレメント１９及び移送用無端ベルト２３の、分離爪片５３部分における縦断面図、図１０は、台紙無しラベル３を装填した状態のプラテンユニット６における台紙無しラベル分離装置９、移送ローラ１８、押付けエレメント１９及び移送用無端ベルト２３の、逆転防止片５４部分における縦断面図である。
【００５５】
図１０に示すように、逆転防止片５４は、移送ローラ１８の中央円周溝３７に移送用爪３８と同じ所定ピッチで形成した逆転防止凹部５８それぞれに係脱可能である。
【００５６】
爪エレメント係合片５５は、プラテンフレーム１７に形成した爪エレメント係脱孔部５９に弾性的に係脱可能であって、分離爪エレメント４９の上記第２の姿勢を解除可能にロックする。
【００５７】
既述のように、移送ローラ１８の移送用爪３８を台紙無しラベル３の移送用スリット３Ａに係脱可能としているとともに、分離爪エレメント４９の分離爪片５３は、移送ローラ１８の外周円周溝３９の部位、ないしは、外周円周溝３９と押付けエレメント１９におけるバックアップローラ４１との間に臨むことができるようにしているとともに、分離爪片５３の先端部は、移送用爪３８と移送用スリット３Ａとの係合部位より上流側に位置可能としている。
【００５８】
こうした構成の携帯式台紙無しラベル貼付け機１、及び台紙無しラベル分離装置９において、開閉用つまみ２６を操作し、開閉用係脱片２８の係脱用凹部２８Ａと係脱軸２５との間の係合を解除することにより、プラテンユニット６を側板２に対して開放すると、板バネ４４を介してレバー軸１１ないしは側板２からの反力を受けて、ねじりコイルバネ４３が押付けエレメント１９から移送ローラ１８部分を離反させ、移送ローラ１８と押付けエレメント１９との間が最大限に開いて間隙４５が形成される。
【００５９】
したがって、移送ローラ１８の円周部における中央円周溝３７、移送用爪３８及び外周円周溝３９と、押付けエレメント１９のバックアップローラ４１及びバックアップリング４２との間に形成される間隙４５の部分に台紙無しラベル３の先頭部を挿通することができる。
【００６０】
次いで、プラテンユニット６を図１の状態に閉鎖して、開閉用係脱片２８の係脱用凹部２８Ａと係脱軸２５とを係合させ、操作レバー５及びグリップ１０を何回か握持して、台紙無しラベル３の移送用スリット３Ａに移送用爪３８を係合させれば、台紙無しラベル３の移送を可能として装填を完了する。
【００６１】
プラテンユニット６を閉鎖した状態の携帯式台紙無しラベル貼付け機１において、操作レバー５及びグリップ１０を握持することにより、印字器７が移送用無端ベルト２３上の台紙無しラベル３に印字を行うとともに、移送回動用爪３２が移送ローラ１８におけるローラギア２４の移送用突起３３から隣接する（図３中、右側の）移送用突起３３側に移行し、次いで操作レバー５の解放によって、移送回動用爪３２がこの移送用突起３３を前方に（図３中、左方向に）回動させて、移送ローラ１８を所定ピッチで回動して台紙無しラベル３を移送する。
【００６２】
さらに、移送ローラ１８に係合している駆動ギア２１が回動することにより移送用無端ベルト２３を回動させて、その上面の台紙無しラベル３を側板２の外方に送り出し可能とする。
【００６３】
移送用無端ベルト２３の先頭部（下流側）において側板２の外方に送り出された台紙無しラベル３のラベル片３Ｂを貼付けローラ８により所定の被貼付け体に貼り付けることができる。
【００６４】
なお、上述した、操作レバー５及びグリップ１０の握持により、移送回動用爪３２が移送ローラ１８におけるローラギア２４の移送用突起３３から隣接する（図３中、右側の）移送用突起３３側に移行する際、図１０に示すように、分離爪エレメント４９の逆転防止片５４が、移送ローラ１８の逆転防止凹部５８に係合しているので、移送ローラ１８が図１０中、反時計方向には回動（逆転）することが無く、移送ローラ１８による台紙無しラベル３の安定した移送を保証している。
【００６５】
もちろん、操作レバー５及びグリップ１０の解放により移送ローラ１８が時計方向（移送方向）に回動する際に、逆転防止片５４は次の逆転防止凹部５８に移行して係合する。
【００６６】
さらに、台紙無しラベル分離装置９により、移送ローラ１８における左右一対の外周円周溝３９と台紙無しラベル３との間には、分離爪エレメント４９の左右一対の分離爪片５３がそれぞれ位置しているので（第１の姿勢）、移送ローラ１８の移送用爪３８と係合して分離爪片５３の部分まで移送されてきた台紙無しラベル３は、その表面側が分離爪片５３の底面に接触しつつ、移送用爪３８から台紙無しラベル３の移送用スリット３Ａが離脱する結果、移送用爪３８から強制的に分離され、移送用無端ベルト２３上に移行することになる。
【００６７】
移送ローラ１８のローラギア２４と、移送用無端ベルト２３の駆動ギア２１との係合回転により、移送用無端ベルト２３上の台紙無しラベル３はさらに従動コロ２２方向に向かって移送される。
【００６８】
また、移送ローラ１８と移送用無端ベルト２３との間において台紙無しラベル３がジャミングしたり、或いは、その周りの部品や機構への糊の付着などを除去清掃する作業その他のためにメンテナンスが必要なったりしたときには、図７及び図８に示すように、台紙無しラベル分離装置９における分離爪エレメント４９（回動アーム５０）を回動突起５６の周りに上方へ引っ張り上げるように回動開放して、移送ローラ１８と移送用無端ベルト２３との間から退避させて第２の姿勢とする。すなわち、分離爪エレメント４９を簡単にその作動位置から解除して、移送ローラ１８の周りにおける台紙無しラベル３の状態を確認可能とするとともに、糊が付着した部分の必要な清掃その他の作業を行うことができる。
【００６９】
かくして、上述のような簡単な構成の台紙無しラベル分離装置９により、移送ローラ１８における台紙無しラベル３の移送、及びその移送用無端ベルト２３への移行を確実に行うことができるとともに、必要時には、内部のメンテナンスを容易に行うことができる。
【００７０】
ところで、実施の形態の携帯式台紙無しラベル貼付け機１は、図１１に示したように、退避部材６２によって、インキローラ４８が取り外されたピン６６を印版６４から退避させている。
【００７１】
すなわち、退避部材６２を操作レバー５に一体化させて、図１１に示す操作レバー５の操作開始位置において退避部材６２をローラアーム６０に押圧当接させることにより、ローラアーム６０をコイルスプリング７０の付勢力に抗して時計周り方向に揺動させて、ピン６６を印版６４から退避させている。また、操作レバー５の操作開始位置から操作レバー５が回動操作されると、印字器７は図１１において下方に移動するが、前記回動操作に連動してローラアーム６０が退避部材６２に押されてさらに時計周り方向に揺動する。このため、前記回動操作の全範囲において、ピン６６は印版６４に接触しない。
したがって、実施の形態の携帯式台紙無しラベル貼付け機１によれば、台紙無しラベル３の繰り出しテスト時等において、印版６４がピン６６によって損傷するのを防止できる。
【００７２】
また、実施の形態の携帯式台紙無しラベル貼付け機１では、印版６４に対するピン６６の退避量を、インキローラ４８が未装着時には、前述したように、退避部材６２がローラアーム６０に当接してピン６６が印版６４に当接しない量に設定するとともに、ピン６６にインキローラ４８が装着された際には、インキローラ４８を印版６４にコイルスプリング７０の付勢力によって押し付けることが可能な量に設定する。
【００７３】
これにより、実施の形態の携帯式台紙無しラベル貼付け機１によれば、印版６４から退避しているピン６６にインキローラ４８が装着されると、インキローラ４８はコイルスプリング７０の付勢力によって印版６４に押し付けられるので、携帯式台紙無しラベル貼付け機１の通常動作（ラベル貼着動作）を問題無く行うことができる。
【００７４】
なお、実施の形態の携帯式台紙無しラベル貼付け機１では、退避部材６２を操作レバー５に一体的に設けたが、これに限定されるものでは無く、別体の退避部材によってピン６６を印版６４から退避させてもよい。しかしながら、部品点数を削減する観点、及び操作レバー５の全回動範囲においてピン６６を印版６４に確実に接触しない構造とするためには、退避部材６２を操作レバー５に一体的に設けることが好ましい。
【符号の説明】
【００７５】
１  携帯式台紙無しラベル貼付け機
２  左右一対の側板
３  台紙無しラベル
３Ａ  台紙無しラベル３の移送用スリット
３Ｂ  台紙無しラベル３の単葉のラベル片
４  ラベルホルダー
５  操作レバー
５Ａ  操作レバー５の二股状のヨーク部
６  プラテンユニット
７  印字器
８  貼付けローラ
９  携帯式台紙無しラベル貼付け機１の台紙無しラベル分離装置
１０  グリップ
１１  レバー軸
１２  コイルスプリング
１３  ホルダー軸
１４  ホルダーカバー
１５  ラベル保持軸
１６  固定用フック
１７  プラテンフレーム
１８  移送ローラ
１９  押付けエレメント
２０  プラテン開閉軸
２１  駆動ギア
２２  従動コロ
２３  移送用無端ベルト
２３Ａ  移送用無端ベルト２３内方の受圧用プレート
２４  ローラギア
２５  係脱軸
２６  開閉用つまみ
２７  つまみ軸
２８  開閉用係脱片
２８Ａ  開閉用係脱片２８の係脱用凹部
２９  ローラ軸
３０  連結アーム
３１  連結軸
３２  移送回動用爪
３３  移送ローラ１８の移送用突起
３４  連結ガイドプレート
３５  連結突起
３６  プラテンフレーム１７の底部におけるガイド溝
３７  中央円周溝
３８  左右一対の移送用爪
３９  左右一対の外周円周溝
４０  エレメントフレーム
４１  上下左右二対のバックアップローラ
４２  バックアップリング
４３  ねじりコイルバネ
４４  左右一対の板バネ
４５  移送ローラ１８と押付けエレメント１９との間の間隙
４６  エレメント軸
４７  上下一対の回転軸
４８  インキローラ
４９  分離爪エレメント
５０  左右一対の回動アーム
５１  横断アーム
５２  爪エレメント本体
５３  左右一対の分離爪片
５４  逆転防止片
５５  左右一対の爪エレメント係合片
５６  左右一対の回動突起
５７  左右一対の回動用凹部
５８  逆転防止凹部
５９  爪エレメント係脱孔部
６０  ローラアーム
６２  退避部材
６４  印版
６６  ピン
６８  軸
７０  コイルスプリング
【図１】
2013075706.tif 000003
【図２】
2013075706.tif 000004
【図３】
2013075706.tif 000005
【図４】
2013075706.tif 000006
【図５】
2013075706.tif 000007
【図６】
2013075706.tif 000008
【図７】
2013075706.tif 000009
【図８】
2013075706.tif 000010
【図９】
2013075706.tif 000011
【図１０】
2013075706.tif 000012
【図１１】
2013075706.tif 000013
【図１２】
2013075706.tif 000014
【図１３】
2013075706.tif 000015